【手続補正書】
【提出日】平成21年1月29日(2009.1.29)
【手続補正１】
【補正対象書類名】特許請求の範囲
【補正対象項目名】全文
【補正方法】変更
【補正の内容】
【特許請求の範囲】
【請求項１】
１つまたは複数のメディアアイテム用のメディアコンテンツを記憶するメディアストレージデバイスと、
前記メディアアイテム用の少なくとも１つのメディアコンテンツを前記メディアストレージから検索し、前記メディアコンテンツを前記ポータブル電子デバイスのユーザに提示させるメディア表示モジュールと、
前記ポータブル電子デバイスと対話するよう許可された種々のアクセサリデバイスの認証情報を記憶する認証テーブルと、
前記ポータブルメディアデバイスに結合された特定のアクセサリデバイスが、前記認証テーブル内に記憶された前記認証情報の少なくとも一部に基づいて前記ポータブル電子デバイスと相互運用を許可されるかどうかを判断する認証モジュールと、
を備え、
前記認証情報はそれぞれのアクセサリデバイスが前記ポータブル電子デバイスとの相互運用をどの程度許可されるかを指定する情報を有し、
前記ポータブルメディアデバイスは、前記認証情報により指定された程度までしか前記特定のアクセサリデバイスと相互運用しないことを特徴とするポータブル電子デバイス。
【請求項２】
前記メディア表示モジュールはコンピュータコードを含み、前記認証モジュールはコンピュータコードを含み、
前記ポータブル電子デバイスは、前記メディア表示モジュールと前記認証モジュールの
コンピュータコードを実行するプロセッサを更に含むことを特徴とする請求項１に記載のポータブル電子デバイス。
【請求項３】
前記認証情報は、前記種々のアクセサリデバイスの各々の認証キーとデバイス識別子を少なくとも含むことを特徴とする請求項１に記載のポータブル電子デバイス。
【請求項４】
前記特定のアクセサリデバイスは、対応する認証キーとデバイス識別子を含み、
前記認証モジュールは、前記アクセサリデバイスが前記対応する認証キーと前記デバイス識別子に更に基づいて前記ポータブル電子デバイスとの相互運用を許可されるかどうかを判断することを特徴とする請求項３に記載のポータブル電子デバイス。
【請求項５】
前記ポータブル電子デバイスと対話するための入力／出力ポートと、
認証アルゴリズムと、
前記アクセサリデバイスに関連付けられた認証キーと、
少なくとも前記認証アルゴリズムと前記認証キーを使用して認証オペレーションを行うための前記入力／出力ポートに動作可能に接続された認証コントローラと、
前記入力／出力ポートを介して前記ポータブル電子デバイスの機能一式にアクセスするように構成されたアクセサリ回路と、
を備え、
前記機能は、前記認証オペレーションの結果によって決まる機能一式を含むことを特徴とするポータブル電子デバイス用アクセサリデバイス。
【請求項６】
前記認証オペレーションは、前記アクセサリデバイスを前記ポータブル電子デバイスに対して認証する働きをすることを特徴とする請求項５に記載のアクセサリデバイス。
【請求項７】
前記アクセサリデバイスは、
前記アクセサリデバイスに関連付けられたデバイス識別子を更に含むことを特徴とする請求項６に記載のアクセサリデバイス。
【請求項８】
前記認証キーは秘密キーであり、前記認証コントローラは、前記秘密キーを使用して値を暗号化することを特徴とする請求項５乃至７のいずれかに記載のアクセサリデバイス。
【請求項９】
前記アクセサリデバイスが周辺アダプタであって、
前記アクセサリ回路は、第１電圧レベルを受け取り第２電圧レベルを出力するための電圧ブースターを少なくとも含み、前記第１電圧レベルは、前記アクセサリデバイスが前記ポータブル電子デバイスに接続されたときに前記ポータブル電子デバイスから受け取られ、前記第２電圧レベルは、前記アクセサリデバイスが前記ポータブル電子デバイスによって認証されているときに出力されることを特徴とする請求項５乃至７のいずれかに記載のアクセサリデバイス。
【請求項１０】
アクセサリデバイスをメディアプレーヤーに接続するためのコネクタであって、
コネクタ本体と、
前記コネクタ本体内に取り付けられ、前記アクセサリデバイスと前記メディアプレーヤーとの間の電気的接続を形成する働きをする複数の電気的接点と、
前記コネクタ本体内に配置され、前記アクセサリデバイスを前記メディアプレーヤーが認証できるようにする認証キーを提供するコントローラと、
を有することを特徴とするコネクタ。
【請求項１１】
電子デバイスと共に使用することをアクセサリデバイスに許可する方法であって、
（ａ）前記アクセサリデバイスからデバイス識別子を受け取るステップと、
（ｂ）前記アクセサリデバイスから認証値を受け取るステップと、
（ｃ）前記アクセサリデバイスが前記認証値に基づいて認証されるかどうかを判断するステップと、
（ｄ）前記決定（ｃ）ステップにおいて前記アクセサリデバイスが認証されていると判断されたとき、前記アクセサリデバイスとともに、前記電子デバイスの許可された１つまたは複数の特徴（機能）の使用を許可するステップと、
から構成され、前記１つまたは複数の認証された特徴（機能）は、前記デバイス識別子および前記認証値の両方またはどちらか一方に部分的に基づく使用可能な特徴（機能）の一部に限定されることを特徴とする方法。
【請求項１２】
前記認証値はデジタル署名であることを特徴とする請求項１１に記載の方法。
【請求項１３】
前記方法は、
（ｅ）前記アクセサリデバイスが前記電子デバイスから分離されているとき、前記電子デバイスと共に前記アクセサリデバイスを使用することをその後許可解除するステップを更に含むことを特徴とする請求項１１又は１２に記載の方法。
【請求項１４】
電子デバイスと共に使用することをアクセサリデバイスに許可する方法であって、
（ａ）前記アクセサリデバイスの前記電子デバイスへの取り付けを検出するステップと
、
（ｂ）前記検出ステップ（ａ）が前記アクセサリデバイスの取り付けを検出した後、前記アクセサリデバイスに乱数を送るステップと、
（ｃ）その後、前記アクセサリデバイスから符号化された値を受け取るステップと、
（ｄ）前記アクセサリデバイスからデバイス識別子を受け取るステップと、
（ｅ）前記デバイス識別子に基づいて暗号キーを取得するステップと、
（ｆ）前記暗号キーを使用して前記符号化された値を復号し、復号された値を生成するステップと、
（ｇ）前記復号された値が前記乱数に一致するかどうかを判断するステップと、
（ｈ）前記復号された値が前記乱数に一致することを前記判断ステップ（ｇ）が示したときに、前記アクセサリデバイスとともに、前記電子デバイスが許可された１つまたは複数の特徴（機能）の使用を許可するステップと、
から構成され、前記１つまたは複数の認証された特徴（機能）は、前記デバイス識別子および前記認証値の両方またはどちらか一方に部分的に基づく使用可能な特徴（機能）の一部に限定されることを特徴とする方法。
【請求項１５】
前記方法は、
（ｉ）その後、前記アクセサリデバイスが前記電子デバイスから分離されているかどうかを判断するステップと、
（ｊ）前記アクセサリデバイスが前記電子デバイスから分離されていると前記判断ステップ（ｉ）が判断した時、前記電子デバイスとの前記アクセサリデバイスの使用を使用不能にするステップと、
をさらに有することを特徴とする請求項１４に記載の方法。
【請求項１６】
電子デバイスと共に使用することをアクセサリデバイスに許可する方法であって、
（ａ）前記アクセサリデバイスの前記電子デバイスへの取り付けを検出するステップと
、
（ｂ）前記検出ステップ（ａ）が前記アクセサリデバイスの取り付けを検出した後で、少なくとも１つの乱数を含む認証要求を前記アクセサリデバイスに送るステップと、
（ｃ）その後、前記認証要求に応答して、少なくとも前記アクセサリデバイスに対する符号化された値とデバイス識別子を含む認証応答を前記アクセサリデバイスから受け取るステップと、
（ｄ）前記デバイス識別子に基づいて暗号キーを取得するステップと、
（ｅ）前記暗号キーを使用して前記符号化された値を復号して、該復号された値を生成するステップと、
（ｆ）前記復号された値と前記乱数との間の一致関係に基づいて前記アクセサリデバイスとともに前記電子デバイスが許可された１つまたは複数の特徴（機能）の使用を許可するステップと、
から構成され、
前記１つまたは複数の認証された特徴（機能）は、前記デバイス識別子および前記認証値の両方またはどちらか一方に部分的に基づく使用可能な特徴（機能）の一部に限定されることを特徴とする方法。
【請求項１７】
前記許可ステップ（ｆ）は、
（ｆ１）前記復号された値を前記乱数と比較するステップと、
（ｆ２）前記復号された値が前記乱数と一致することを前記比較ステップ（ｆ１）が示す場合に、前記アクセサリデバイスとともに前記電子デバイスが許可された１つまたは複数の特徴（機能）の使用を許可するステップと、
を有することを特徴とする請求項１６に記載の方法。
【請求項１８】
前記方法は、
（ｈ）その後、前記アクセサリデバイスが前記電子デバイスから分離されているかどうかを判断するステップと、
（ｉ）前記アクセサリデバイスが前記電子デバイスから分離されていることを前記判断ステップ（ｈ）が判断した場合に、前記電子デバイスとの前記アクセサリデバイスの使用を使用不能にするステップと、
をさらに有することを特徴とする請求項１７に記載の方法。
【請求項１９】
電子デバイスとの使用をアクセサリデバイスに許可する、前記アクセサリデバイスによって実行される方法であって、
（ａ）前記電子デバイスから乱数を受け取るステップと、
（ｂ）前記アクセサリデバイス内に提供される少なくとも１つの暗号キーを使用して前記乱数を符号化し、これによって符号化された値を生成するステップと、
（ｃ）前記符号化された値及びデバイス識別子を前記電子デバイスに送るステップと、
（ｄ）ステップ（ｃ）の後、前記電子デバイスで許可された一つまたは複数の機能にアクセスするステップと、
から構成され、
前記許可された機能は前記符号化された値に基づいて前記電子デバイスによって許可されるものであり、前記１つまたは複数の許可された機能は前記符号化された値に部分的に基づく使用可能な機能の一部に限定されることを特徴とする方法。
【請求項２０】
前記方法は、
（ｅ）前記電子デバイスからアクセサリデバイスが許可されたとの指示を受け取るステップをさらに有することを特徴とする請求項１９に記載の方法。
【請求項２１】
前記方法は、
（ｅ）前記アクセサリデバイスが、前記電子デバイスによって許可されていない場合、限定された方式で前記電子デバイスと共に前記アクセサリデバイスを動作するステップをさらに有することを特徴とする請求項１９に記載の方法。
【請求項２２】
メディアプレーヤーとアクセサリデバイスとの間の対話を制御する方法であって、
前記アクセサリデバイスの分類を判断するステップと、
前記アクセサリデバイスの許可レベルを識別するステップと、
前記アクセサリデバイスの分類と許可レベルの少なくともどちらか一方に基づいて、前記アクセサリデバイスと共に使用可能な前記メディアデバイスの機能を選択的に起動するステップと、
から構成されることを特徴とする方法。
【請求項２３】
メディアコンテンツを記憶し、複数の予め確定された機能をサポートするメディアプレーヤーと、
前記メディアプレーヤーに接続可能なアクセサリデバイスと、
を備えるメディアプレーヤーシステムであって、
前記メディアプレーヤーと前記アクセサリデバイスが対話して認証プロセスを行い、
前記認証プロセスに基づいて、前記メディアデバイスの特定機能が選択的に起動され、
その結果前記アクセサリデバイスによる使用が利用可能になることを特徴とするメディアプレーヤーシステム。
【請求項２４】
前記メディアプロセスは、暗号キーを前記メディアプレーヤーに提供し、前記メディアプレーヤーは前記暗号キーを使用して前記アクセサリデバイスの起動レベルを判断することを特徴とする請求項２３に記載のメディアプレーヤーシステム。
【請求項２５】
起動されている前記メディアデバイスの特定機能は、前記アクセサリデバイスの前記許可レベルに基づくことを特徴とする請求項２４に記載のメディアプレーヤーシステム。
【請求項２６】
１つまたは複数のメディアアイテム用のメディアコンテンツを記憶するメディアストレージデバイスと、
前記メディアコンテンツを前記メディアストレージからユーザーに提示するように構成されたメディア表示モジュールと、
アクセサリデバイスを認証するための認証手段と、
を備え、認証結果はアクセサリデバイスがどの程度まで前記ポータブルメディアと対話するように許可されているかを示し、
前記ポータブルメディアプレーヤーは前記認証結果により指定された程度までしか前記アクセサリデバイスと対話しないことを特徴とするポータブルメディアプレーヤー。
【請求項２７】
ポータブル電子デバイスと通信するための通信手段と、
前記ポータブル電子デバイスとともにアクセサリデバイスを認証する認証手段と、
前記通信手段を介して前記ポータブル電子デバイスを制御する制御手段と、
を備え、前記制御手段は前記ポータブル電子デバイスの機能一式にアクセスするように構成され、前記機能は前記認証手段に部分的に基づいた機能一式を含むことを特徴とするアクセサリデバイス。
【請求項２８】
ポータブルメディアプレーヤーと通信するための通信手段と、
前記通信手段を介して前記ポータブルメディアプレーヤーとともにアクセサリデバイスを認証する認証手段と、
前記通信手段を介して前記ポータブルメディアプレーヤーで機能一式を実行するための制御手段と、
を備え、前記機能はアクセサリデバイスに関連づけられた識別子に少なくとも部分的に基づいた機能一式の範囲内であることを特徴とするアクセサリデバイス。